(57)【要約】      （修正有）【課題】網状交叉循環濾過式塗装排気処理装置の提供。【解決手段】フィルタネット４、支軸１、ベアリングシート２，２１，２２、巻き取り軸６、ボックスシート、モータ７からなり、支軸の両端にベアリングシートが枢設され、二つのベアリングシートがボックスシート内に適当な距離を以て配列され、並びに対向する内面に固定されたベアリングシートと対応する高さに設置され、両面に並列に設けられた支軸が上下に交錯してフィルタネットがＳ曲線状に掛けられ、フィルタネットの両面が交叉する状態を呈して油塵を吸収し、並びにＳ軌道に沿って循環する両面のネット孔４４が灰塵を完全に孔中に付着させ、これにより付着面積が増されて確実な浄化を達成し、網状を呈し交叉循環する両面により空気を浄化する実用効果を達成する。【選択図】図１
0003101169.tif 000002
【実用新案登録請求の範囲】
【請求項１】
フィルタネット、支軸、ベアリングシート、巻き取り軸、ボックスシート、モータからなり、該支軸は、軸方向の両端にベアリングシートが枢設され、複数対のベアリングシートがボックスシートの内壁に横向きに平行に設けられ、該内壁に対向するボックスシートの内壁にあって、前記複数対のベアリングシートに対応する高さに複数対のベアリングシートが設けられて、ボックスシートの対向する二つの内壁面に支軸が配列され、支軸の上下の間隔に交錯するようにフィルタネットが掛けられてＳ曲線状を呈し、該フィルタネットは交ぜ織り綿のネットとされ、ネット面にネット孔が分布し、該フィルタネットは回転ロッドに支持され、回転ロッドより引き出された後にボックスシートの上方より左右の支軸に交互に掛けられて往復状を呈して下方より引き出され、巻き取り軸により巻回され、巻き取り軸はモータに接続され、モータの駆動によりフィルタネットが上から下にＳ軌跡に沿って行進し、両面が往復して交互に排気中の不純物を付着させ、排気清浄を行なうよう構成された、網状交叉循環濾過式塗装排気処理装置。
【請求項２】
請求項１記載の網状交叉循環濾過式塗装排気処理装置において、Ｓ軌跡に沿って循環するフィルタネットの両面のネット孔により灰塵付着面積が増されたことを特徴とする、網状交叉循環濾過式塗装排気処理装置。
【考案の詳細な説明】
【技術分野】
【０００１】
本考案は一種の排気処理構造に係り、特に、工場の排気処理に用いられ、濾過機能が高く、使用後には廃棄して焼却でき洗浄タンク水源を汚染することがない、網状交叉循環濾過式塗装排気処理装置に関する。
【背景技術】
【０００２】
金属部品鋳造、メッキ或いは塗装工場では、各種の製品製造の過程で、多種類の化学元素を含む塵が発生し、人体に吸収されると肺の病気を引き起し、長期にわたると癌やその他の生理病変を発生し、これは作業員の生命に対する脅威である。また、作業員だけでなく、工場の排出する排気は、一般の民衆にとっても生命に対する長期の潜在的脅威となる。このような排気を吸い込まないために装着されるマスクは、綿製であり、実際には汚染灰塵の侵略を防御できない。
【考案の開示】
【考案が解決しようとする課題】
【０００３】
本考案の主要な目的は、一種の網状交叉循環濾過式塗装排気処理装置を提供することにあり、それは、フィルタネット、支軸、ベアリングシート、巻き取り軸、ボックスシート、モータからなり、網状のフィルタネットの交叉循環を利用しフィルタネットの両面で空気を浄化する実用機能を達成するものとする。
本考案の次の目的は、一種の網状交叉循環濾過式塗装排気処理装置を提供することにあり、それは、支軸の両端にベアリングシートが枢設され、二つのベアリングシートがボックスシート内に適当な距離で配列され、並びに対向する内面に固定されたベアリングシートの高さが対応するよう設置されたものとする。
本考案の別の目的は、一種の網状交叉循環濾過式塗装排気処理装置を提供することにあり、それは両面に並列するよう設けられた支軸に上下に交錯するようフィルタネットが掛けられてフィルタネットがＳ曲線状に行進し、フィルタネットの両面が交叉して灰塵を吸収する機能を達成するものとする。
本考案のさらに別の目的は、一種の網状交叉循環濾過式塗装排気処理装置を提供することにあり、それはＳ軌道に沿って循環するフィルタネットのネット孔により塵を完全にネット孔内に進入させて付着させ、これにより吸着面積を増して完全な浄化を達成できるよう形成されたものとする。
【課題を解決するための手段】
【０００４】
請求項１の考案は、フィルタネット、支軸、ベアリングシート、巻き取り軸、ボックスシート、モータからなり、該支軸は、軸方向の両端にベアリングシートが枢設され、複数対のベアリングシートがボックスシートの内壁に横向きに平行に設けられ、該内壁に対向するボックスシートの内壁にあって、前記複数対のベアリングシートに対応する高さに複数対のベアリングシートが設けられて、ボックスシートの対向する二つの内壁面に支軸が配列され、支軸の上下の間隔に交錯するようにフィルタネットが掛けられてＳ曲線状を呈し、該フィルタネットは交ぜ織り綿のネットとされ、ネット面にネット孔が分布し、該フィルタネットは回転ロッドに支持され、回転ロッドより引き出された後にボックスシートの上方より左右の支軸に交互に掛けられて往復状を呈して下方より引き出され、巻き取り軸により巻回され、巻き取り軸はモータに接続され、モータの駆動によりフィルタネットが上から下にＳ軌跡に沿って行進し、両面が往復して交互に排気中の不純物を付着させ、排気清浄を行なうよう構成された、網状交叉循環濾過式塗装排気処理装置としている。
請求項２の考案は、請求項１記載の網状交叉循環濾過式塗装排気処理装置において、Ｓ軌跡に沿って循環するフィルタネットの両面のネット孔により灰塵付着面積が増されたことを特徴とする、網状交叉循環濾過式塗装排気処理装置としている。
【考案の効果】
【０００５】
本考案の網状交叉循環濾過式塗装排気処理装置は、フィルタネット、支軸、ベアリングシート、巻き取り軸、ボックスシート、モータからなり、支軸の両端にベアリングシートが枢設され、二つのベアリングシートがボックスシートの二つの対向面に平行に離間配列され、並びにボックスシートの対向する内面に固定されたベアリングシートが対応する高さに設置され、両面に並列に設けられた支軸に上から下にフィルタネットが交互に掛けられてＳ状軌跡を呈し、フィルタネットの両面が交互に油塵、灰塵を吸収し、並びにＳ軌道に沿って循環する両面のネット孔が灰塵を完全に孔中に付着させ、これにより付着面積が増されて確実な浄化を達成する。
【考案を実施するための最良の形態】
【０００６】
本考案の網状交叉循環濾過式塗装排気処理装置は、フィルタネット、支軸、ベアリングシート、巻き取り軸、ボックスシート、モータからなる。該支軸１は、軸方向の両端にベアリングシート２、２１が枢設され、複数対のベアリングシート２、２１がボックスシートの内壁に横向きに設けられ、該内壁に対向するボックスシートの内壁にあって、ベアリングシート２、２１に対応する高さに複数対のベアリングシート２２、２３が設けられて、ボックスシートの対向する二つの内壁面に支軸１、１Ａが配列される。支軸の上下の間隔に交錯するようにフィルタネット４が掛けられ、これによりフィルタネット４がＳ曲線状を呈して行進する。該フィルタネット４は交ぜ織り綿のネットとされ、ネット面にネット孔４４が分布し、該フィルタネット４は回転ロッド５に支持され、回転ロッド５より引き出されたフィルタネット４はボックスシートの上方の支軸より左右の支軸に交互に掛けられて往復するように下方より引き出され、巻き取り軸６により巻回される。巻き取り軸はモータ７に接続され、動力により３６０度回転してフィルタネット４を巻回し、フィルタネット４を上から下にＳ軌道に沿って走行させる。こうしてフィルタネットの進行過程で、その両面が交互に排気中の不純物を付着させ、並びにＳ軌道に沿って循環するフィルタネットの両面に分布する細小なネット孔が灰塵を付着させ、広い付着面積を提供して確実に排気を浄化する。上述のフィルタネットは綿織フィルタネットに限定されず、網孔を具えて排気中の灰塵の付着機能を有するものであればよい。
【図面の簡単な説明】
【０００７】
【図１】本考案の構造表示図である。
【図２】本考案の分解斜視図である。
【図３】本考案の構造の機能実施例図である。
【図４】本考案の灰塵付着表示図である。
【図５】本考案のフィルタネットの曲線交叉循環機能表示図である。
【図６】本考案のフィルタネットの孔の灰塵付着実施例図である。
【符号の説明】
【０００８】
１、１Ａ  支軸
２、２１、２２、２３  ベアリングシート
４  フィルタネット
４４  ネット孔
５  回転ロッド
６  巻き取り軸
７  モータ
【図１】
0003101169.tif 000003
【図２】
0003101169.tif 000004
【図３】
0003101169.tif 000005
【図４】
0003101169.tif 000006
【図５】
0003101169.tif 000007
【図６】
0003101169.tif 000008